(57)【要約】【課題】投写レンズを保護するためのレンズシャッター開閉に連動して排気シャッターを開閉させ、レンズシャッターを閉じたミュート状態では排気シャッターを開放したまま保持するプロジェクターを提供する。【解決手段】レンズシャッター４が開放位置、閉鎖位置、及びミュート位置のいずれの位置にあるかを検出するレンズシャッター位置検出部１５と、プロジェクター１の排気口６を開閉可能に設けられた排気シャッター７と、レンズシャッター４が閉鎖位置にあるときは排気シャッター７を閉鎖し、レンズシャッター４が開放位置にあるときは排気シャッター７を開放し、レンズシャッター４が開放位置または閉鎖位置からミュート位置に移動した場合は排気シャッター７を動かさない排気シャッター開閉バー９を備える。【選択図】図３
2012215756.tif 000002
【特許請求の範囲】
【請求項１】
画像情報に応じた画像を表示するプロジェクターであって、
光源から射出された光を前記画像情報に応じて変調して投写する画像投写部と、
前記画像投写部からの投写光を遮断するレンズシャッターと、
前記レンズシャッターが開放位置、閉鎖位置、及びミュート位置のいずれの位置にあるかを検出するレンズシャッター位置検出部と、
前記プロジェクターの筐体に設けられた排気口を開閉する排気シャッターと、
前記レンズシャッターが前記開放位置にあるときは前記排気シャッターにより前記排気口を開放し、前記レンズシャッターが前記閉鎖位置にあるときは前記排気シャッターにより前記排気口を閉鎖する排気シャッター制御部と、を備え、
前記排気シャッター制御部は、前記レンズシャッターが前記開放位置または前記閉鎖位置から前記ミュート位置に移動した場合は前記排気シャッターを動かさない、
ことを特徴とする、プロジェクター。
【請求項２】
請求項１に記載のプロジェクターであって、前記排気シャッター制御部は、前記レンズシャッターが前記開放位置から前記ミュート位置に移動した場合は、前記排気シャッターにより前記排気口を開放したまま保持することを特徴とする、プロジェクター。
【請求項３】
請求項１に記載のプロジェクターであって、前記排気シャッター制御部は、前記レンズシャッターが前記閉鎖位置から前記ミュート位置に移動した場合は、前記排気シャッターにより前記排気口を閉鎖したまま保持することを特徴とする、プロジェクター。
【請求項４】
請求項１から３のいずれか一項に記載のプロジェクターであって、
入力操作を受け付ける入力操作部をさらに備え、
前記制御部は、前記入力操作部より、当該プロジェクターに電源オン操作を受け付けたとき、前記レンズシャッターが前記開放位置にある場合に、当該プロジェクターを起動することを特徴とする、プロジェクター。
【請求項５】
請求項４に記載のプロジェクターであって、
警告状態を報知する報知部をさらに備え、
前記制御部は、前記入力操作部より、当該プロジェクターに電源オン操作を受け付けたとき、前記レンズシャッターが前記開放位置になかった場合に前記報知部により報知し、所定時間内に前記レンズシャッターが前記開放位置に移動したことを検出した場合に、当該プロジェクターを起動することを特徴とする、プロジェクター。
【請求項６】
請求項１から５のいずれか一項に記載のプロジェクターであって、
前記制御部は、当該プロジェクターが投写中において、前記レンズシャッターが前記閉鎖位置に移動したことを検出した場合、所定時間内に前記レンズシャッターが前記開放位置に移動しなかった場合に当該プロジェクターの電源をオフすることを特徴とする、プロジェクター。
【請求項７】
光源から射出された光を画像情報に応じて変調して投写する画像投写部と、
前記画像投写部からの投写光を遮断するレンズシャッターと、
少なくとも前記画像投写を収納する筐体と、
前記筐体に設けられた排気口を開閉する排気シャッターと、を備えたプロジェクターの制御方法であって、
前記レンズシャッターが開放位置、閉鎖位置、及びミュート位置のいずれの位置にあるかを検出するレンズシャッター位置検出ステップと、
前記レンズシャッターが前記開放位置にあるときは前記排気シャッターにより前記排気口を閉鎖し、前記レンズシャッターが前記開放位置にあるときは前記排気シャッターにより前記排気口を開放する排気シャッター制御部ステップと、
前記レンズシャッターが、投写中に前記開放位置から前期ミュート位置まで移動して停止したか否かを判断する判断ステップと、
前記判断ステップにより、投写中に前記レンズシャッターが、前記ミュート位置に移動して停止したと判断した場合に、前記排気シャッターを停止させたまま、予め設定されたミュート画像を前記画像投写部に投写させるミュートステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターにおいて、投写レンズの投写面にスライド式のシャッターを配置しシャッターを閉じることで、使用しないときには投写レンズを保護するとともに、投写中には遮光することにより、画像の投写を一時中断するミュート機能を持たせたものが知られている。
また、プロジェクター筐体内から熱を排気するための排気口にシャッターを設け、プロジェクターを使用しないときにはシャッターを閉じることで、排気口から筐体内へ異物が侵入するのを防ぐものも開示されている（特許文献１）。
【先行技術文献】
【特許文献】
【０００３】
【特許文献１】特開２００６−３０８８２６号公報
【発明の概要】
【発明が解決しようとする課題】
【０００４】
しかしながら、特許文献１のプロジェクターでは、使用する度に排気口用のシャッターと、投写レンズ用のシャッターの両方を開放しなければ電源オンできず、使用終了後は両方のシャッターを閉じる必要があるので操作が面倒であった。
両方のシャッターを連動する構造も考えられるが、この場合は、投写レンズ用のシャッターを閉じると、排気口用のシャッターも閉じてしまうので、投写レンズ用のシャッターで投写光を遮断するミュート機能を実現することができないという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像情報に応じた画像を表示するプロジェクターであって、光源から射出された光を前記画像情報に応じて変調して投写する画像投写部と、前記画像投写部からの投写光を遮断するレンズシャッターと、前記レンズシャッターが開放位置、閉鎖位置、及びミュート位置のいずれの位置にあるかを検出するレンズシャッター位置検出部と、前記プロジェクターの筐体に設けられた排気口を開閉する排気シャッターと、前記レンズシャッターが前記開放位置にあるときは前記排気シャッターにより前記排気口を開放し、前記レンズシャッターが前記閉鎖位置にあるときは前記排気シャッターにより前記排気口を閉鎖する排気シャッター制御部と、を備え、前記排気シャッター制御部は、前記レンズシャッターが前記開放位置または前記閉鎖位置から前記ミュート位置に移動した場合は前記排気シャッターを動かさない、ことを特徴とする。
【０００７】
本適用例によれば、レンズシャッターを開放したときは排気シャッターにより排気口も開放し、レンズシャッターを閉鎖したときは、排気シャッターにより排気口も閉鎖し、さらにレンズシャッターをミュート位置にした場合は排気シャッターを動かさない。これにより、電源オン、オフ時はレンズシャッターをそれぞれ開放、閉鎖位置に移動するだけで排気シャッターも連動して排気口を開放閉鎖するので、簡易な操作で投写レンズの保護と排気口からの異物侵入を防止することが可能となる。
【０００８】
［適用例２］上記適用例に記載のプロジェクターにおいて、前記排気シャッター制御部は、前記レンズシャッターが前記開放位置から前記ミュート位置に移動した場合は、前記排気シャッターにより前記排気口を開放したまま保持することを特徴とする。
【０００９】
本適用例によれば、レンズシャッターを開放した投写状態から、レンズシャッターをミュート位置に移動した場合、排気シャッターにより排気口を開放したまま保持するので、レンズシャッターで投写光を遮断しても、排気口は画像投写中と同様に開放したままで、画像ミュート状態を実現することが可能となる。
【００１０】
［適用例３］上記適用例に記載のプロジェクターにおいて、前記排気シャッター制御部は、前記レンズシャッターが前記閉鎖位置から前記ミュート位置に移動した場合は、前記排気シャッターにより前記排気口を閉鎖したまま保持することを特徴とする。
【００１１】
本適用例によれば、レンズシャッターを閉鎖したオフ状態から、レンズシャッターをミュート位置に移動した場合、排気シャッターにより排気口を閉鎖したまま保持する。つまり、レンズシャッターを閉鎖位置からミュート位置に移動させただけでは排気口が閉鎖したままなので、レンズシャッターがミュート位置にあっても、排気口からの異物の侵入を防止することができる。
【００１２】
［適用例４］上記適用例に記載のプロジェクターにおいて、入力操作を受け付ける入力操作部をさらに備え、前記制御部は、前記入力操作部より、当該プロジェクターに電源オン操作を受け付けたとき、前記レンズシャッターが前記開放位置にある場合に、当該プロジェクターを起動することを特徴とする。
【００１３】
本適用例によれば、レンズシャッターが開放位置にあるときに電源オン操作を受け付けた場合にプロジェクターの電源をオンし、ミュート位置、閉鎖位置にあるときは電源オンしないので、排気口が閉鎖したまま、起動してしまうのを防止することが可能となる。
【００１４】
［適用例５］上記適用例に記載のプロジェクターにおいて、警告状態を報知する報知部をさらに備え、前記制御部は、前記入力操作部より、当該プロジェクターに電源オン操作を受け付けたとき、前記レンズシャッターが前記開放位置になかった場合に前記報知部により報知し、所定時間内に前記レンズシャッターが前記開放位置に移動したことを検出した場合に、当該プロジェクターを起動することを特徴とする。
【００１５】
本適用例によれば、レンズシャッターが開放位置にない状態で電源オン操作を受け付けたときに報知し、所定時間内にレンズシャッターが開放位置に移動したときに起動する。これにより、排気口が開放されていない可能性がある状態でユーザーが電源オン操作しても、レンズシャッターの開放を促し、レンズシャッター開放後は再度の電源オン操作をすることなく起動することが可能となる。
【００１６】
［適用例６］上記適用例に記載のプロジェクターにおいて、前記制御部は、当該プロジェクターが投写中において、前記レンズシャッターが前記閉鎖位置に移動したことを検出した場合、所定時間内に前記レンズシャッターが前記開放位置に移動しなかった場合に当該プロジェクターの電源をオフすることを特徴とする。
【００１７】
本適用例によれば、投写中にレンズシャッターを閉鎖し、再度開放することなく所定時間経過した場合に電源がオフされるので、投写中にレンズシャッターと排気口の両方が閉鎖された状態が継続するのを防止するともに、誤ってレンズシャッターを閉鎖してしまった場合はすぐに開放することで、再度起動させることなく画像の投写を継続させることが可能となる。
【００１８】
［適用例７］本適用例に係るプロジェクターの制御方法は、光源から射出された光を画像情報に応じて変調して投写する画像投写部と、前記画像投写部からの投写光を遮断するレンズシャッターと、少なくとも前記画像投写を収納する筐体と、前記筐体に設けられた排気口を開閉する排気シャッターと、を備えたプロジェクターの制御方法であって、前記レンズシャッターが開放位置、閉鎖位置、及びミュート位置のいずれの位置にあるかを検出するレンズシャッター位置検出ステップと、前記レンズシャッターが前記開放位置にあるときは前記排気シャッターにより前記排気口を閉鎖し、前記レンズシャッターが前記開放位置にあるときは前記排気シャッターにより前記排気口を開放する排気シャッター制御部ステップと、前記レンズシャッターが、投写中に前記開放位置から前期ミュート位置まで移動して停止したか否かを判断する判断ステップと、前記判断ステップにより、投写中に前記レンズシャッターが、前記ミュート位置に移動して停止したと判断した場合に、前記排気シャッターを停止させたまま、予め設定されたミュート画像を前記画像投写部に投写させるミュートステップと、を有することを特徴とする。
【００１９】
本適用例によれば、レンズシャッターを開放したときは排気シャッターにより排気口も開放し、レンズシャッターを閉鎖したときは、排気シャッターにより排気口も閉鎖し、さらに投写中にレンズシャッターをミュート位置にした場合は排気シャッターを動かさずにミュート画像を投写する。これにより、電源オン、オフ時はレンズシャッターをそれぞれ開放、閉鎖位置に移動するだけで排気シャッターも連動して排気口を開放閉鎖するので、簡易な操作で投写レンズの保護と排気口からの異物侵入を防止し、画像ミュート時はレンズシャッターをミュート位置にするだけでミュート画像を投写することが可能となる。
【図面の簡単な説明】
【００２０】
【図１】プロジェクターの斜視図。
【図２】プロジェクターの平面図であり、（ａ）はレンズシャッターツマミ周辺、（ｂ）は排気シャッター周辺を部分的に示す図。
【図３】プロジェクターの正面図であり、レンズシャッターの開閉状態と排気シャッターの開閉状態の関係を示す図。（ａ）はレンズシャッターが閉鎖位置にあるとき、（ｂ）はレンズシャッターが閉鎖位置からミュート位置に移動したとき、（ｃ）はレンズシャッターがミュート位置から開放位置に移動したとき、（ｄ）はレンズシャッターが開放位置からミュート位置に移動したときの状態を示す。
【図４】プロジェクターの回路構成を示すブロック図。
【図５】プロジェクターが電源オン操作を受け付けたときの動作を示すフローチャート。
【図６】プロジェクターが投写中にレンズシャッターの移動を検出したときの動作を示すフローチャート。
【発明を実施するための形態】
【００２１】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は、本実施形態のプロジェクターの斜視図を示す図である。
図１に示すように、プロジェクター１は、装置本体が筐体２によって覆われた構成になっている。筐体２は、上面２ｔ、前面２ｆ、右側面２ｒ、左側面、背面、底面によって構成されている。本実施形態においては、前面２ｆ方向を前方とし、前面２ｆの反対側である背面方向を後方とする。また、右側面２ｒを右側とし、対向する左側面を左側として説明する。
【００２３】
筐体２の上面２ｔには、ユーザーにより入力操作が行われる複数の操作キーを備えた入力操作部２３が備えられ、入力操作部２３の近傍には、プロジェクター１の動作状態を報知するための報知部２４が備えられている。
【００２４】
筐体２の前面２ｆには、開口部３が形成されている。また、開口部３の筐体内側である後方には、前方に向かって画像光を投写する投写レンズ１３が備えられている。
開口部３には、カバー部材としてのレンズシャッター４が開閉可能に備えられており、開口部３をレンズシャッター４で閉塞することによって、投写レンズ１３を保護するとともに投写光を遮光することが可能となっている。
【００２５】
レンズシャッター４は、合成樹脂製で略矩形の板状体であり、その一辺には、開閉操作を行うための操作ツマミ４ａが一体的に形成され、他の一辺には後述する排気シャッター開閉バー９と連結するための開閉フック４ｂが形成されている（図３参照）。
操作ツマミ４ａは、筐体２の上面２ｔに形成されたスリット５から突出して露出しており、そのスリット５に沿って操作ツマミ４ａを左右にスライド操作することによって、レンズシャッター４の開閉を行うことができる。また、操作ツマミ４ａは、筐体２の上面２ｔよりも上方に突出するようになっており、スライド操作を容易にしている。
【００２６】
筐体２の右側面２ｒには筐体内の熱を排気するための排気口６が形成されており、排気口６を閉鎖、開放する排気シャッター７が備えられている。
排気シャッター７は、排気シャッター制御部に相当する排気シャッター開閉バー９を備えており、排気シャッター開閉バー９は、レンズシャッター４が一定以上閉塞された場合に開閉フック４ｂと連結されるように構成されている。また、排気シャッター開閉バー９は図示しないスライド機構により前面２ｆ内側に沿って横方向に移動し、排気シャッター７を開閉する構造になっている。
【００２７】
図２は、プロジェクター１の平面図であり、図２（ａ）は筐体２の上面２ｔのスリット５の周辺の部位を部分的に示しており、図２（ｂ）は排気シャッター７の周辺を部分的に示している。
図３（ａ）〜（ｄ）は、プロジェクター１の正面図の部分断面図であり、レンズシャッター４と、排気シャッター７による排気口６の開閉状態を示している。
【００２８】
図２（ｂ）に示すように、排気シャッター７は排気シャッター開閉バー９により動かされることで、排気口６が開閉操作されるようになっている。排気シャッター開閉バー９は、図３に示すように、開閉フック９ａ、及び開閉フック９ｂの間にレンズシャッター４の開閉フック４ｂをはさむように配置されている。
【００２９】
図２（ａ）に示すように、スリット５は、筐体２の前面２ｆと並行して形成されており、レンズシャッター４は、操作ツマミ４ａがスリット５の左端部（前方に向かって左側の端部）５ａに接する位置と、操作ツマミ４ａがスリット５の右端部（前方に向かって右側の端部）５ｃに接する位置との間を移動可能になっている。
【００３０】
つまり、レンズシャッター４は、不図示のスライド機構によって、前面２ｆに沿った方向に摺動可能となっており、投写レンズ１３を外部に露出させることにより投写光を遮断しない開放位置と、開口部３に配置された投写レンズ１３を覆うことにより投写光を遮断する閉鎖位置との間で選択的に移動可能になっている。
【００３１】
スリット５には左端部５ａと右端部５ｃの間に位置５ｂがあり、図３に示すように、操作ツマミ４ａをスライド操作して、レンズシャッター４を図３（ｃ）に示すスリット５の右端部５ｃから図３（ｄ）に示す位置５ｂに移動させることにより、図３（ａ）に示す左端部５ａまで移動させなくても、レンズシャッター４が開口部３を閉塞し、投写レンズ１３を覆って画像光を遮光状態にすることができる。
【００３２】
これ以降、操作ツマミ４ａをスリット５の左端部５ａに移動させたときのレンズシャッター４の位置（図３（ａ））を「閉鎖位置」と呼び、操作ツマミ４ａをスリット５の右端部５ｃに移動させたときのレンズシャッター４の位置（図３（ｃ））を「開放位置」と呼び、操作ツマミ４ａをスリット５の位置５ｂに移動させたときのレンズシャッター４の位置（図３（ｄ））を「ミュート（ｍｕｔｅ）位置」と呼ぶ。
【００３３】
筐体２の前面２ｆには、レンズシャッター位置検出部に相当する不図示の複数のセンサーが埋め込まれており、レンズシャッター４が、開放位置、閉鎖位置、及びミュート位置のいずれにあるかを検出することができる。
【００３４】
次に、レンズシャッター４を各位置に移動させたときの、排気シャッター７による排気口６の開閉状態を、図３を参照して説明する。
操作ツマミ４ａをスライド操作してレンズシャッター４を閉鎖位置に移動させると、図３（ａ）に示すように、レンズシャッター４は、開口部３を閉塞し、投写レンズ１３を覆ってその投写面を保護するとともに遮光状態にする。
このときにレンズシャッター４の開閉フック４ｂが排気シャッター開閉バー９の開閉フック９ａに掛かり、排気シャッター開閉バー９を引っ張ることにより、排気シャッター７で排気口６を閉鎖させる。
【００３５】
次に操作ツマミ４ａをスライド操作して、レンズシャッター４を閉鎖位置からミュート位置に移動させると、図３（ｂ）に示すように、レンズシャッター４の開閉フック４ｂは排気シャッター開閉バー９の開閉フック９ａから離れ、開閉フック９ｂに当接または近接した位置まで移動する。このときにレンズシャッター４は開口部３を閉塞したままであり、排気シャッター７も動かさないので排気口６は閉鎖したままである。
【００３６】
次に操作ツマミ４ａをスライド操作して、レンズシャッター４をミュート位置から開放位置に移動させると、図３（ｃ）に示すように、レンズシャッター４は、投写レンズ１３の前方（投写方向）から移動し、開口部３を開放する。この結果、開口部３から投写レンズ１３が露出し、画像光の投写が可能な状態となる。このときに、レンズシャッター４の開閉フック４ｂが排気シャッター開閉バー９の開閉フック９ｂに当接して、排気シャッター開閉バー９を押し出し、排気シャッター７が動かされることで、排気口６を開放する。
【００３７】
次に操作ツマミ４ａをスライド操作して、レンズシャッター４を開放位置からミュート位置に移動させると、図３（ｄ）に示すように、レンズシャッター４は開口部３を閉塞し、投写光を遮断する。このとき、レンズシャッター４の開閉フック４ｂは排気シャッター開閉バー９の開閉フック９ｂから離れ、開閉フック９ａに掛かる位置まで移動するが、排気シャッター開閉バー９は動かさないので排気シャッター７は動かず、排気口６は開放したままである。
【００３８】
つまり、レンズシャッター４を開放位置または閉鎖位置からミュート位置に移動したときは排気シャッター７の状態は変化しない為、排気口の状態も変化しない。
排気シャッター７により排気口６を開放、または閉鎖させるには、レンズシャッター４を開放位置、または閉鎖位置に移動させればよい。
【００３９】
図４は、本実施形態のプロジェクターの回路構成を示すブロック図である。
図４に示すように、プロジェクター１は、画像投写部１０、制御部２０、記憶部２１、光源制御部２５、入力操作部２３、報知部２４、画像信号入力部１８、画像信号処理部１７、ＯＳＤ処理部１６、レンズシャッター位置検出部１５、電源端子３０、電源部３１等で構成されており、これらは筐体２（図１、及び図２）の内部に収容されている。
【００４０】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００４１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００４２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００４３】
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００４４】
上記実施形態では、光源１１として光源ランプ１１ａを用いて投写するプロジェクター１を例示したが、本発明は、光源１１としてＬＥＤ（Light emitting diode）光源やレーザー光源などを用いて投写するプロジェクターにも適用することができる。
なお、上記実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００４５】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０は、時間を計時するタイマー２０ａを備えている。
【００４６】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
【００４７】
入力操作部２３は、ユーザーがプロジェクター１に対して各種指示を行うための複数の操作キーを備えている。入力操作部２３が備える操作キーとしては、電源のオン・オフを交互に切り替えるための電源キーや、画像信号入力部１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００４８】
ユーザーが入力操作部２３の各種操作キーを操作すると、入力操作部２３は、ユーザーの操作内容に応じた操作信号を制御部２０に出力する。なお、入力操作部２３は、リモートコントローラー（リモコンとも称する）信号受信部（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信部がこれを受信して制御情報として制御部２０に伝達する。
【００４９】
画像信号入力部１８は、上述したように複数の画像入力端子を備えており、各画像入力端子より、ビデオ再生装置やパーソナルコンピューター等、外部の画像出力装置から、図示しないケーブルを介して画像情報が入力される。
【００５０】
画像信号処理部１７は、画像信号入力部１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し投写する光の強弱（階調）が規定される。
【００５１】
ＯＳＤ処理部１６は、制御部２０の指示に基づいて、投写画像上に、メニュー画像やメッセージ画像等のＯＳＤ（オンスクリーンディスプレイ）画像を重畳して表示するための処理を行う。ＯＳＤ処理部１６は、図示しないＯＳＤメモリーを備えており、ＯＳＤ画像を形成するための図形やフォント等を表すＯＳＤ画像情報を記憶している。
【００５２】
制御部２０が、ＯＳＤ画像の重畳表示を指示すると、ＯＳＤ処理部１６は、必要なＯＳＤ画像情報をＯＳＤメモリーから読み出し、投写画像上の所定の位置にＯＳＤ画像が重畳されるように、画像信号処理部１７から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部１６は、画像信号処理部１７から入力される画像情報を、そのまま液晶駆動部１４に出力する。
【００５３】
液晶駆動部１４は本実施形態における画像形成部であり、ＯＳＤ処理部１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００５４】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５５】
光源制御部２５は、制御部２０の指示に基づいて、光源１１に対する電力の供給と停止とを制御し、光源１１の点灯、及び消灯を切り替える。
【００５６】
報知部２４は、ＬＥＤ（発光ダイオード）を備えたインジケーターであり、制御部２０の指示に基づいてその表示状態を切り替えることにより、ユーザーにプロジェクター１の動作状態（電源のオン・オフや異常発生、信号検出等）を報知する。なお、報知部２４は、その表示状態、即ち点灯、点滅、消灯、発光色等を適宜切り替えることによって、多数の動作状態を表すことが可能になっている。
本実施形態においては、報知部２４は電源オン操作時にレンズシャッター４が閉鎖位置にあった場合に、開放位置に移動するよう警告報知を行う。
【００５７】
レンズシャッター位置検出部１５は、レンズシャッター４を操作ツマミ４ａでスライド移動したときの位置が開放位置、閉鎖位置、ミュート位置のいずれの位置にあるかをセンサーなどにより検出し、その検出結果を制御部２０に出力する。
【００５８】
次に、本実施形態のプロジェクター１の動作を図５、及び図６のフローチャートを用いて説明する。
〔電源オン操作時の動作〕
図５はプロジェクター１が電源オン操作を受け付けたときの動作を示すフローチャートである。
【００５９】
図５に示すように、プロジェクター１が、入力操作部２３より電源オン操作を受け付けると（ステップＳ１０１）、制御部２０はレンズシャッター４が開放位置にあるか否かを調べる（ステップＳ１０２）。レンズシャッター４が開放位置にある場合（ステップＳ１０２：Ｙ）、ステップＳ１０９に遷移する。レンズシャッター４が開放位置にない場合（ステップＳ１０２：Ｎ）、ステップＳ１０３に遷移する。
【００６０】
ステップＳ１０３において制御部２０は、報知部２４による警告報知（レンズシャッター４が閉鎖位置）を開始し、更に、タイマー２０ａによる計時を開始（タイマースタート）した後、ステップＳ１０４に遷移する。
【００６１】
ステップＳ１０４において制御部２０は、レンズシャッター４が開放位置にあるか否か、つまりレンズシャッター４がミュート位置または閉鎖位置から開放位置に移動したか否かを調べる。レンズシャッター４が開放位置にある場合（ステップＳ１０４：Ｙ）、ステップＳ１０８に遷移する。レンズシャッター４が開放位置にない場合（ステップＳ１０４：Ｎ）、ステップＳ１０５に遷移する。
【００６２】
ステップＳ１０５において制御部２０は、タイマー２０ａが所定時間（例えば５秒）経過したか否かを調べる。タイマー２０ａが所定時間経過した場合（ステップＳ１０５：Ｙ）、ステップＳ１０６に遷移する。タイマー２０ａが所定時間経過していない場合、ステップＳ１０４に遷移する。
【００６３】
ステップＳ１０６において制御部２０は、報知部２４による報知を終了させ、タイマー２０ａを停止させ、ステップＳ１０７に遷移する。
【００６４】
ステップＳ１０７において制御部２０は、プロジェクター１をスタンバイ状態に移行させ、本動作フローを終了する。
【００６５】
ステップＳ１０８において制御部２０は、報知部２４による報知を終了させ、タイマー２０ａを停止させ、ステップＳ１０９に遷移する。
【００６６】
ステップＳ１０９において、排気シャッター開閉バー９により排気シャッター７が動かされることで、排気口６が開放され、ステップＳ１１０に遷移する。
【００６７】
ステップＳ１１０において制御部２０は、光源制御部２５により光源１１を点灯させ、更にプロジェクター１を電源オン状態に移行させた後、ステップＳ１１１に遷移する。
【００６８】
ステップＳ１１１において、プロジェクター１は画像の投写を開始し、本動作フローを終了する。
【００６９】
〔投写中にレンズシャッターの移動を検出したときの動作〕
図６はプロジェクター１が投写中にレンズシャッター４の移動を検出したときの動作を示すフローチャートである。
【００７０】
図６に示すように、プロジェクター１が投写中にレンズシャッター４の位置が変わったことを検出すると（ステップＳ２０１）、制御部２０はレンズシャッター４がミュート位置にあるか否かを調べる（ステップＳ２０２）。
レンズシャッター４がミュート位置にある場合（ステップＳ２０２：Ｙ）、ステップＳ２１１に遷移する。レンズシャッター４がミュート位置にない場合（ステップＳ２０２：Ｎ）、ステップＳ２０３に遷移する。
なお、ステップＳ２０２が判断ステップに相当する。
【００７１】
ステップＳ２０３において制御部２０は、レンズシャッター４が開放位置にあるか否かを調べる。レンズシャッター４が開放位置にある場合（ステップＳ２０３：Ｙ）、ステップＳ２１２に遷移する。レンズシャッター４が開放位置にない場合（ステップＳ２０３：Ｎ）、即ち閉鎖位置にある場合、ステップＳ２０４に遷移する。
【００７２】
ステップＳ２０４において、排気シャッター開閉バー９に動かされた排気シャッター７により、排気口６が閉鎖され、ステップＳ２０５に遷移する。
【００７３】
ステップＳ２０５において制御部２０は、タイマー２０ａによる計時を開始し、ステップＳ２０６に遷移する。
【００７４】
ステップＳ２０６において制御部２０は、レンズシャッター４が開放位置にあるか否か、即ちレンズシャッター４が閉鎖位置から開放位置に移動したか否かを調べる。レンズシャッター４が開放位置にある場合（ステップＳ２０６：Ｙ）、ステップＳ２１０に遷移する。レンズシャッター４が開放位置にない場合（ステップＳ２０６：Ｎ）、ステップＳ２０７に遷移する。
【００７５】
ステップＳ２０７において制御部２０は、タイマー２０ａが所定時間（例えば５秒）経過したか否かを調べる。タイマー２０ａが所定時間経過した場合（ステップＳ２０７：Ｙ）、ステップＳ２０８に遷移する。タイマー２０ａが所定時間経過していない場合（ステップＳ２０７：Ｎ）、ステップＳ２０６に遷移する。
【００７６】
ステップＳ２０８において制御部２０は、光源制御部２５により光源１１を消灯し、ステップＳ２０９に遷移する。
【００７７】
ステップＳ２０９において制御部２０は、プロジェクター１をスタンバイ状態に移行させ、本動作フローを終了する。
【００７８】
ステップＳ２１０において制御部２０は、タイマー２０ａによる計時を停止し、ステップＳ２１２に遷移する。
【００７９】
ステップＳ２１１において制御部２０は、予め設定されたミュート画像（例えば、黒画像）を画像投写部１０に投写させ、ステップＳ２１４に遷移する。（本ステップがミュートステップに相当する。）
【００８０】
ステップＳ２１２において、排気シャッター開閉バー９に動かされた排気シャッター７により、排気口６が開放され、ステップＳ２１３に遷移する。
【００８１】
ステップＳ２１３において制御部２０は、画像ミュート状態を終了（解除）し、画像信号入力部１８から入力される画像を画像投写部１０に投写させ、ステップＳ２１４に遷移する。
【００８２】
ステップＳ２１４において、制御部２０はプロジェクター１を投写状態にし、本動作フローを終了する。
【００８３】
以上説明したように、本実施形態のプロジェクター１によれば、レンズシャッター４を開放したときは排気シャッター７により排気口６も開放し、レンズシャッター４を閉鎖したときは、排気シャッター７により排気口６も閉鎖する。
これにより、電源オン、オフ時はレンズシャッター４をそれぞれ開放、閉鎖位置に移動するだけで排気シャッター７も連動して排気口６を開放、閉鎖するので、簡易な操作で投写レンズ１３の保護と排気口６からの異物の侵入を防止することが可能となる。
【００８４】
また、レンズシャッター４が開放位置にある投写状態から、レンズシャッター４をミュート位置に移動した場合、排気シャッター７により排気口６を開放したまま保持するので、レンズシャッター４で投写光を遮断しても、排気口６は画像投写中と同様に開放したままの、画像ミュート状態を実現することが可能となる。
【００８５】
また、レンズシャッター４が閉鎖にある電源オフ状態から、レンズシャッター４をミュート位置に移動した場合、排気シャッター７により排気口６を閉鎖したまま保持する。つまり、レンズシャッター４を閉鎖位置からミュート位置に移動させただけでは排気口６が閉鎖したままなので、レンズシャッター４がミュート位置にあっても、排気口６からの異物の侵入を防止することができる。
【００８６】
また、レンズシャッター４が開放位置にあるときに電源オン操作を受け付けるとプロジェクター１の電源をオンし、レンズシャッター４がミュート位置にあるときは電源オン操作を受け付けてもプロジェクター１の電源をオンしない。
また、レンズシャッター４が閉鎖位置にあるときに電源オン操作を受け付けると、所定時間内にレンズシャッター４が開放位置に移動した場合にプロジェクター１の電源をオンするので、排気口６が閉鎖したまま起動してしまうのを防止することが可能となる。
【００８７】
（変形例１）
また、上記実施形態は、以下のように変更してもよい。
上述した実施形態においては、排気シャッター７は、レンズシャッター４に連結された排気シャッター開閉バー９により動かされて排気口６を開閉していたが、電気的開閉機構（例えば、電磁シャッターなど）を用いてもよい。
【符号の説明】
【００８８】
１…プロジェクター、２…筐体、３…開口部、４…レンズシャッター、４ａ…操作ツマミ、４ｂ…開閉フック、５…スリット、６…排気口、７…排気シャッター、９…排気シャッター開閉バー、９ａ，９ｂ…開閉フック、１５…レンズシャッター位置検出部、１７…画像信号処理部、１６…ＯＳＤ処理部、１８…画像信号入力部、３０…電源端子、３１…電源部、１０…画像投写部、１１…光源、１２Ｒ，１２Ｇ，１２Ｂ…液晶ライトバルブ、１３…投写レンズ、１４…液晶駆動部、２０…制御部、２１…記憶部、２５…光源制御部、２３…入力操作部、２４…報知部。
【図１】
2012215756.tif 000003
【図２】
2012215756.tif 000004
【図３】
2012215756.tif 000005
【図４】
2012215756.tif 000006
【図５】
2012215756.tif 000007
【図６】
2012215756.tif 000008